(57)【特許請求の範囲】
【請求項１】
マナーモードと、文字情報による文字会話を行う文字会話動作モードとを有する携帯通信端末であって、
前記マナーモードの設定状態において着信があると、発呼側との回線を切断すると共に、当該発呼側との間で相互通信により文字情報による文字会話を行う前記文字会話動作モードへ移行させる動作モード制御手段を有することを特徴とする携帯通信端末。
【請求項２】
前記動作モード制御手段により前記文字会話動作モードへの移行が行われる場合に、前記発呼側へ発呼し、文字会話による回線を確立する回線制御手段を具備することを特徴とする請求項１記載の携帯通信端末。
【請求項３】
前記着信に対する発呼側の発信番号を取得する発信者番号取得手段を有し、前記回線制御手段は、前記発信者番号取得手段により取得された発呼側の発信者番号に基づいて発呼することを特徴とする請求項２記載の携帯通信端末。
【請求項４】
前記文字会話動作モードによる通信の履歴情報を保存する通信履歴保存部をさらに有し、
前記動作モード制御手段は、前記着信があると当該着信の発信者情報が前記履歴情報保存部に保存された前記履歴情報に含まれている場合に前記文字会話動作モードへ移行する、ことを特徴とする請求項１から請求項３のいずれか一項に記載の携帯通信端末。
【請求項５】
着信時の報知についてのマナーモード設定状態において着信があると、発呼側との回線を切断すると共に、前記発呼側との間で文字情報により相互通信を行なう文字会話動作モードへ移行することを特徴とする携帯通信端末の通信方法。
【請求項６】
前記文字会話動作モードへの移行が行われる場合に、前記発呼側へ発呼し、文字会話による回線を確立し、回線確立後、文字情報による通信を行なうことを特徴とする請求項５記載の携帯通信端末の通信方法。
【請求項７】
着信時の報知についてのマナーモード設定状態において着信があると、発呼側との回線を切断すると共に、前記発呼側との間で文字情報により相互通信を行なう文字会話動作モードへ移行するステップと、
前記文字会話動作モードへの移行が行われる場合に前記発呼側へ発呼して文字会話による回線を確立し、回線確立後、文字情報による通信を行なうステップと、
を有することを特徴とする通信プログラム。
【請求項８】
請求項７に記載の通信プログラムを記録したことを特徴とする記録媒体。
【発明の詳細な説明】
【０００１】
【発明の属する技術分野】
本発明は、少なくとも、着信時の報知が周囲の迷惑にならないようにするマナーモード設定時に文字情報による会話を可能とする携帯通信端末、携帯通信端末の通信方法、通信プログラムおよび記録媒体に関する。
【０００２】
【従来の技術】
従来、携帯電話には、着信時の報知が周囲の迷惑にならないようにするマナーモードとして、着信音を出さない又は小さくするようにしたり、振動により着信を報知したり、着信を切断したり、留守録モードにする機能があった。
【０００３】
【発明が解決しようとする課題】
しかしながら、上述したマナーモードでは、着信報知自体を無音にすることはできるが、マナーモードに設定していることは通話が困難である場所であるので、通話可能な場所に移動するなどして、こちらから発呼して相手と通話しなければならない。ゆえに、着信があった時点で直ぐに会話できないという問題があった。
【０００４】
なお、携帯電話同士で、文字によりリアルタイムで会話するチャットメールとう機能も存在する。チャットメール機能は、音声での通話が困難な場合であっても、文字入力によりリアルタイムで会話することが可能である。しかしながら、従来の携帯電話では、チャットメール機能は、単独の機能として動作するだけであり、上述したマナーモードと連携させることができず、ユーザの操作が煩雑になるという問題があった。
【０００５】
この発明は上述した事情に鑑みてなされたもので、マナーモード設定状態においても、確実に意思伝達することができる携帯通信端末、携帯通信端末の通信方法、通信プログラムおよび記録媒体を提供することを目的とする。
【０００６】
【課題を解決するための手段】
上述した問題点を解決するために、請求項１記載の携帯通信端末の発明では、マナーモードと、文字情報による文字会話を行う文字会話動作モードとを有する携帯通信端末であって、前記マナーモードの設定状態において着信があると、発呼側との回線を切断すると共に、当該発呼側との間で相互通信により文字情報による文字会話を行う前記文字会話動作モードへ移行させる動作モード制御手段を有することを特徴とする。
【０００７】
また、請求項２記載の発明では、請求項１記載の携帯通信端末において、前記動作モード制御手段により前記文字会話動作モードへの移行が行われる場合に、前記発呼側へ発呼し、文字会話による回線を確立する回線制御手段を具備することを特徴とする。
また、請求項３記載の発明では、請求項２記載の携帯通信端末において、前記着信に対する発呼側の発信番号を取得する発信者番号取得手段を有し、前記回線制御手段は、前記発信者番号取得手段により取得された発呼側の発信者番号に基づいて発呼することを特徴とする。
また、請求項４記載の発明では、請求項１から３のいずれかに記載の携帯通信端末において、前記文字会話動作モードによる通信の履歴情報を保存する通信履歴保存部をさらに有し、前記動作モード制御手段は、前記着信があると当該着信の発信者情報が前記履歴情報保存部に保存された前記履歴情報に含まれている場合に前記文字会話動作モードへ移行する、ことを特徴とする。
【０００８】
また、上述した問題点を解決するために、請求項５記載の携帯通信端末の通信方法の発明では、着信時の報知についてのマナーモード設定状態において着信があると、発呼側との回線を切断すると共に、前記発呼側との間で文字情報により相互通信を行なう文字会話動作モードへ移行することを特徴とする。
【０００９】
また、請求項６記載の発明では、請求項５記載の携帯通信端末の通信方法において、前記文字会話動作モードへの移行が行われる場合に、前記発呼側へ発呼し、文字会話による回線を確立し、回線確立後、文字情報による通信を行なうことを特徴とする。
【００１０】
また、上述した問題点を解決するために、請求項７記載の通信プログラムの発明では、着信時の報知についてのマナーモード設定状態において着信があると、発呼側との回線を切断すると共に、前記発呼側との間で文字情報により相互通信を行なう文字会話動作モードへ移行するステップと、前記文字会話動作モードへの移行が行われる場合に前記発呼側へ発呼して文字会話による回線を確立し、回線確立後、文字情報による通信を行なうステップと、を有することを特徴とする。
【００１１】
また、上述した問題点を解決するために、請求項８記載の記録媒体の発明では、請求項７記載の通信プログラムを記録したことを特徴とする。
【００１２】
この発明では、着信時の報知についてのマナーモード設定状態において着信があると、動作モード制御手段により、発呼側との間で文字情報により相互通信を行なう文字会話動作モードへ移行する。したがって、マナーモード設定状態においても、文字情報により会話することができるので、確実に意思伝達することが可能となる。
【００１３】
【発明の実施の形態】
以下、図面を用いて本発明の実施の形態を説明する。
Ａ．実施形態の構成
図１は、本発明の実施形態による携帯通信端末として携帯電話を用いた通信システムの構成を示すブロック図である。図１において、携帯電話１Ａ，１Ｂは、音声通話や着信音を発しないマナーモード機能、文字情報による電子メール送受信機能、リアルタイムで文字情報により文字会話を行なうチャットメール機能、音声メッセージを後述するサーバ上に保存する留守番機能などを有する。携帯電話１Ａ，１Ｂは、無線通信により、無線基地局２，２を介して電話回線網３に接続し、他の携帯電話や固定電話との間で、上述した音声通話や電子メール、チャットメールなどを行なう。
【００１４】
特に、本実施形態では、携帯電話は、通話が困難である場所において、マナーモード設定状態時に着信があると、バイブレータ等により非音声で着信をユーザに通知した後、自動的に、文字情報によるチャットメール動作モードへ移行するようになっている。これにより、ユーザは、通話が困難である場所においては、特別な操作を行なうことなく、チャットメールによって発呼側の相手と会話することができるようになっている。
【００１５】
なお、携帯電話の機種によっては、チャットメール機能を有しないものがある。そこで、本実施形態では、チャットメール履歴情報を保存しておき、チャットメール動作モードへの移行時に、上記チャットメール履歴情報を参照し、チャットメール可能である場合にのみ、チャットメール動作モードへ移行するようになっている。チャットメールが不可である場合には、チャットメール動作モードへ移行することなく、従来同様、発呼側の発信者番号を着信履歴として記録することになる。
【００１６】
サーバ４は、上記携帯電話１Ａ，１Ｂに対し、上記音声通話や電子メール、チャットメール、留守番機能などを実現するためのサービスを提供する。
【００１７】
Ｂ．実施形態の動作
次に、図２に示すフローチャートを参照して本実施形態の動作について詳細に説明する。通話が困難である場所にいるユーザは、自身の携帯電話１Ａをマナーモードに設定する（ステップＳ１）。マナーモード設定状態において、携帯電話１Ｂのユーザが携帯電話１Ａへ発呼すると（ステップＳ１０）、携帯電話１Ａは、バイブレータ等により着信をユーザに通知する（ステップＳ２）。次いで、着呼側の携帯電話１Ａは、発呼側の携帯電話１Ｂの発信電話番号情報を取得し、着信を自動切断する（ステップＳ３）。
【００１８】
そして、着呼側の携帯電話１Ａは、上記発信電話番号情報を用いて、事前に登録または作成されたメッセージを、チャットメールで発呼側の携帯電話１Ｂへ自動送信する。メッセージとしては、例えば、「現在音声会話できません。チャットしましょう。」など、発呼側の携帯電話のユーザにチャットメールでの会話を行なうことを促す内容とする。
【００１９】
発呼側の携帯電話１Ｂでは、通常のチャットメール動作が起動し、上記チャットメールを受信し（ステップＳ１１）、これに対する返答メッセージを、チャットメールとして着呼側の携帯電話１Ａへ送信する（ステップＳ１２）。なお、発呼側の携帯電話１Ｂが圏外に移動したり、電波状態が悪く、着信できない場合には、サーバ４にメッセージが保存される。着呼側の携帯電話１Ａでは、発呼側の携帯電話１Ｂからのチャットメールを受信し（ステップＳ５）、さらに、これに対する返答メッセージを、チャットメールとして発呼側の携帯電話１Ｂへ送信する（ステップＳ６）。以下、発呼側、着呼側の双方の携帯電話１Ａ，１Ｂにおいて、チャットメールの受信と送信とを繰り返し、文字による会話を実現する。
【００２０】
なお、上述した実施形態において、携帯電話１Ａの機能は、図示しない記憶部に記憶されたプログラムを実行することで実現するようになっている。記憶部は、ハードディスク装置や光磁気ディスク装置、フラッシュメモリ等の不揮発性メモリやＲＡＭ（Random Access Memory）のような揮発性のメモリ、あるいはこれらの組み合わせにより構成されるものとする。また、上記記憶部とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００２１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。また、上記プログラムは、上述した処理の一部を実現するためのものであってもよい。さらに、上述した処理を携帯電話１Ａに既に記録されているプログラムとの組み合わせで実現できるもの、いわゆる差分ファイル（差分プログラム）であってもよい。
【００２２】
以上、この発明の実施形態を図面を参照して詳述してきたが、具体的な構成は、上記実施形態に限られるものではなく、この発明の要旨を逸脱しない範囲の設計等も含まれる。
なお、本発明の携帯通信端末としては、通信可能なＰＤＡ（Personal Digital Assistants：個人用情報機器）と称される携帯型の端末も含むものとする。
【００２３】
【発明の効果】
以上説明したように、本発明によれば、着信時の報知についてのマナーモード設定状態において着信があると、動作モード制御手段により、発呼側との間で文字情報により相互通信を行なう文字会話動作モードへ移行するようにしたので、マナーモード設定状態においても、文字情報により会話することができるので、確実に意思伝達することができるという利点が得られる。
【図面の簡単な説明】
【図１】  本発明の実施形態による携帯通信端末として携帯電話を用いた通信システムの構成を示すブロック図である。
【図２】  本実施形態の動作を説明するためのフローチャートである。
【符号の説明】
１Ａ  着呼側の携帯電話
１Ｂ  発呼側の携帯電話
２  無線基地局
３  通信回線網
４  サーバ
【図１】
0003939545.tif 000002
【図２】
0003939545.tif 000003